(57)【要約】【課題】制御基板を収容する基板ケースの封印部分に対して、外部から工具により操作できず、不正の痕跡を外部からはっきりと視認可能な構造にし、不正行為を確実に防止できるようにする。【解決手段】カバー４５の右側壁がベース４３の右側壁の外方に位置するようにしておき、カバー４５の右側壁に嵌入孔５１を透設すると共に、ベース４３の右側壁に係合孔５３を透設し、係合体５５を嵌入孔５１に挿入して、係合体５５の根元部分である嵌入部５５ａを嵌入孔５１に嵌入すると共に先端部分である頭部５５ｂを係合孔５３に嵌入し、係止部５５ｄをベース４５の右側壁の内側面に係止させて係合体５５の引き抜きを阻止し、基板ケース４１を封印する。【選択図】　　　　図２
2004008580.tif 000002
【特許請求の範囲】
【請求項１】
ベースとカバーとに分割され遊技機筐体に固定される基板ケースに設けられ、遊技機用の制御基板を前記基板ケース内に収容した状態で前記基板ケースを封印する遊技機用制御基板ケースの封印装置において、
前記カバーの少なくともその１つの側壁が前記ベースの１つの側壁の外方に位置するように前記カバーが形成され、
前記カバーの前記側壁に透設された嵌入孔と、前記ベースの前記側壁に透設された係合孔と、前記嵌入孔に挿入されて根元部分が前記嵌入孔に嵌入すると共に先端部分が前記係合孔に嵌入する係合体と
を備えていることを特徴とする遊技機用制御基板ケースの封印装置。
【請求項２】
前記嵌入孔に嵌入した状態における前記係合体の端面が、前記カバーの前記側壁の外側面とほぼ同一面を成すことを特徴とする請求項１に記載の遊技機用制御基板ケースの封印装置。
【請求項３】
前記係合体を途中で切断するための開口が前記カバーに形成されていることを特徴とする請求項１または２に記載の遊技機用制御基板ケースの封印装置。
【請求項４】
前記ベースの前記係合孔の内側に形成された透視可能な密閉室を備え、前記密閉室は、切断後押し込まれた前記係合体の先端部分を収容するものであることを特徴とする請求項１ないし３のいずれかに記載の遊技機用制御基板ケースの封印装置。
【請求項５】
前記係合体が、可撓性連結部材を介して前記ベースまたは前記カバーのいずれかに連結されていることを特徴とする請求項１ないし４のいずれかに記載の遊技機用制御基板ケースの封印装置。
【請求項６】
前記係合体が、
前記嵌入孔に嵌入する嵌入部と、前記係合孔に嵌入する頭部と、前記嵌入部と前記頭部とを繋ぐ接続部と、前記頭部に形成され前記頭部の前記係合孔への嵌入時に前記ベースの前記側壁内面に係止して前記係合体の引き抜きを阻止する係止部とを備えていることを特徴とする請求項１ないし５のいずれかに記載の遊技機用制御基板ケースの封印装置。
【請求項７】
前記嵌入孔、前記係合孔及び前記係合体が各々複数個設けられていることを特徴とする請求項１ないし６のいずれかに記載の遊技機用制御基板ケースの封印装置。
【発明の詳細な説明】
【０００１】
【発明の属する技術分野】
この発明は、ベースとカバーとに分割され遊技機筐体に固定される基板ケースに設けられ、遊技機用の制御基板を基板ケース内に収容した状態で基板ケースを封印する遊技機用制御基板ケースの封印装置に関する。
【０００２】
【従来の技術】
一般に、スロットマシンやパチンコ機等の遊技機は、マイクロコンピュータにより制御されるようになっており、このマイクロコンピュータは予め所定パターンのプリント配線が施された制御基板上に、ＣＰＵやＲＯＭ、ＲＡＭ等のチップ部品が実装されて構成され、この制御基板が、図４に示すような基板ケース１００内に収容されて遊技機筐体内の所定位置に配設される。
【０００３】
ところで、この基板ケース１００は、図４に示すように、透明樹脂製のベース１０１とカバー１０２とに分割され、ケース１００内に制御基板を収めた後、かしめ部１０３においてベース１０１とカバー１０２とをかしめて封印し、このかしめ部１０３を壊さない限りケース１００を開けることができない構造になっている。ここで、図４には示されていないホルダが遊技機筐体内部の所定位置に固着され、ケース１００のベース１０１はこのホルダを介して遊技機筐体に固定されている。
【０００４】
そして、かしめ部１０３は、図４に示すように、例えばケース１００の右側面に設けられた６個の封印部材１０４〜１０９を備え、更にこれら各封印部材１０４〜１０９は、カバー１０２の右側面に一体的に形成されたほぼ円筒状を成すカバー側封印部１０４ａ〜１０９ａと、ベース１０１の右側面であって各カバー側封印部１０４ａ〜１０９ａそれぞれとの対向位置に一体的に形成されたベース側封印部１０４ｂ〜１０９ｂとを備え、ねじにより各カバー側封印部１０４ａ〜１０９ａそれぞれと各ベース側封印部１０４ｂ〜１０９ｂそれぞれとが締結されて封印されるようになっている。但し、図４において、１１０，１１１，１１２はカバー１０２に形成された透孔から導出されたピンヘッダであり、ケース１００内の制御基板に配設されており、外部ケーブルに接続される。
【０００５】
このとき、当初内蔵されている正規のＲＯＭを取り外して不正な変造ＲＯＭが取り付けられることを防止するために、まず１番目の封印部材１０４の両封印部１０４ａ，１０４ｂがねじ止めされてケース１００が封印され、この封印状態のまま制御基板がケース１００ごとパチンコホールに搬送される。更に、パチンコホールにおいて、２番目の両封印部１０５ａ，１０５ｂがねじ止めされて封印状態のケース１００がホルダを介して遊技機筐体に固定される。
【０００６】
そして、監督機関が変造ＲＯＭを取り締まるために、パチンコホールにおいてチェックする際に、ねじ止めされている１番目及び２番目の封印部材１０４，１０５が切断されて封印解除され、チェック終了後に３番目の封印部材１０６の両封印部１０６ａ，１０６ｂがねじ止めされ、このような監督機関による変造ＲＯＭの取り締まりごとに４番目、５番目の封印部材１０７，１０８が順次ねじ止めされて封印され、合計３回の監督機関によるチェックまで許容される構造になっている。
【０００７】
尚、制御基板をケース１００ごと回収する際に、５番目の封印部材１０８が切断されてケース１００が遊技機筐体から取り外し可能な状態にされると共に、６番目の封印部材１０９がねじ止めされてケース１００が封印状態のまま搬送可能な状態にされ、制御基板がケース１００ごと回収される。
【０００８】
【発明が解決しようとする課題】
しかし、上記したような従来のかしめ部１０３は、ねじ止めによって封印するものであるため、ねじ頭に形成されているマイナスドライバの係合溝を、逆動できないような傾斜構造にしてあるものの、円筒状のカバー側封印部１０４ａ〜１０９ａに外部から工具を挿入して締結状態のねじを逆動操作して緩めることが可能であり、制御基板に対して何らかの不正行為を施すことができ、いわゆるゴト行為を防止することができないおそれがあった。
【０００９】
しかも、遊技機筐体に固定されたケース１００に対し、正面側からねじ止めする構造であるため、ねじ止め後において外部から見えるのはねじ頭だけであり、ねじが緩められる等の不正が行われても不正の痕跡を外部からはっきりと視認することができず、不正行為を確実に排除することが困難であった。
【００１０】
そこで、本発明は、制御基板を収容する基板ケースの封印部分に対して、外部から工具により操作できず、不正の痕跡を外部からはっきりと視認可能な構造にし、不正行為を確実に防止できるようにすることを目的とする。
【００１１】
【課題を解決するための手段】
上記した目的を達成するために、本発明は、ベースとカバーとに分割され遊技機筐体に固定される基板ケースに設けられ、遊技機用の制御基板を前記基板ケース内に収容した状態で前記基板ケースを封印する遊技機用制御基板ケースの封印装置において、前記カバーの少なくともその１つの側壁が前記ベースの１つの側壁の外方に位置するように前記カバーが形成され、前記カバーの前記側壁に透設された嵌入孔と、前記ベースの前記側壁に透設された係合孔と、前記嵌入孔に挿入されて根元部分が前記嵌入孔に嵌入すると共に先端部分が前記係合孔に嵌入する係合体とを備えていることを特徴としている（請求項１）。
【００１２】
このような構成によれば、係合体が水平方向から嵌入孔及び係合孔に挿入、嵌入されることにより、係合体によってベースとカバーとが係合されるため、ねじを用いることなくケースを封印することができ、係合体の状態を目視できるようにケースを透明にしておくことで、不正があったときは不正の痕跡を外部から早期に発見することができる。
【００１３】
また、本発明は、前記嵌入孔に嵌入した状態における前記係合体の端面が前記カバーの前記側壁の外側面とほぼ同一面を成すことを特徴としている（請求項２）。このような構成によれば、係合体を嵌入孔及び係合孔に挿入、嵌入したときに、係合体の端面がカバーの側壁の外側面とほぼ同一面を成すため、係合体の端面を工具により細工して係合体を外部から引き抜くことが困難になり、不正行為を確実に防止することができる。
【００１４】
また、本発明は、前記係合体を途中で切断するための開口が前記カバーに形成されていることを特徴としている（請求項３）。このような構成によれば、封印を解除する必要が生じた場合に、この開口を介して係合体の途中を切断することができる。
【００１５】
また、本発明は、前記ベースの前記係合孔の内側に形成された透視可能な密閉室を備え、前記密閉室は、切断後押し込まれた前記係合体の先端部分を収容するものであることを特徴としている（請求項４）。このような構成によれば、係合体が途中で切断されたときに、係合体の先端部分を密閉室内に押し込んで収容しておき、密閉室内を外部から監視して密閉室内に収容されている係合体の先端部分を見ることで、不正行為の有無を容易に判断することができ、係合体を切断した痕跡を明確に把握することができ、不正に係合体を切断した場合にこれを容易に発見することができる。
【００１６】
また、本発明は、前記係合体が、可撓性連結部材を介して前記ベースまたは前記カバーのいずれかに連結されていることを特徴としている（請求項５）。このような構成によれば、係合体がベースまたはカバーに連結されているため、封印作業時に係合体を紛失するおそれがなく、封印作業を非常に効率よく行うことができる。
【００１７】
また、本発明は、前記係合体が、前記嵌入孔に嵌入する嵌入部と、前記係合孔に嵌入する頭部と、前記嵌入部と前記頭部とを繋ぐ接続部と、前記頭部に形成され前記頭部の前記係合孔への嵌入時に前記ベースの前記側壁内面に係止して前記係合体の引き抜きを阻止する係止部とを備えていることを特徴としている（請求項６）。
【００１８】
このような構成によれば、係合体の頭部がベース側の係合孔に嵌入した状態では、係止部がベースの側壁内面に係止して引き抜きが阻止されるため、工具による不正行為をより確実に防止することができる。
【００１９】
また、本発明は、前記嵌入孔、前記係合孔及び前記係合体が各々複数個設けられていることを特徴としている（請求項７）。このような構成によれば、例えば制御基板のチェックのためにカバーを開放する必要が生じても、係合体を順次嵌入孔及び係合孔に挿入して嵌入すればよく、封印解除及び封印を簡単に繰り返すことができる。
【００２０】
【発明の実施の形態】
この発明を遊技機であるスロットマシンに適用した場合における第１実施形態について図１ないし図３を参照して説明する。但し、図１はスロットマシンの正面図、図２はケースの一部の分解斜視図、図３は組立状態における一部の斜視図である。
【００２１】
本実施形態におけるスロットマシンは、例えば図１に示すように構成されている。即ち、図１に示すように、スロットマシン１では、筐体３の前面が前面パネル５により開閉自在に閉塞され、この前面パネル５のほぼ中央高さの位置に操作板７が配設されると共に、この操作板７の上方に正面板９が配設されている。
【００２２】
そして、この正面板９には３個のリール窓１１が並設され、各リール窓１１の内側には左、中、右の各リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２３】
更に、この操作板７には、クレジットされているメダルから投入を行うクレジットメダルボタン１５、各リールの回転を開始させるためのスタートレバー１７、第１ないし第３ストップボタン１９，２１，２３、及び、メダル投入口２５や払出しボタン２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。
【００２４】
ところで、筐体３内部の上側には、ＣＰＵやＲＯＭ、ＲＡＭ等のチップ部品が実装された制御基板を収容した基板ケースが配設される。図２及び図３に示すように、この基板ケース４１は、透明樹脂製のベース４３とカバー４５とに分割され、基板ケース４１内に制御基板が収められた後、右側のかしめ部４９においてベース４３とカバー４５とがかしめられて封印され、筐体３内部に固着されたホルダにベース基板ケース４１が固定され、かしめ部４９を壊さない限り基板ケース４１を開けることができない構造になっている。このとき、カバー４５の右側壁がベース４３の右側壁の外方に位置するように、カバー４５及びベース４３の寸法設定が成されている。また、ホルダに基板ケース４１を固定する固定手段は、図２，３には示されていないが、かしめ部４９とは別に設けられている。
【００２５】
ところで、かしめ部４９は、カバー４５の右側壁に透設された嵌入孔５１と、ベース４３の右側壁に透設された係合孔５３と、嵌入孔５１に嵌挿されて先端が係合孔５３に嵌入する係合体５５とを備え、嵌入孔５１、係合孔５３及び係合体５５が複数個（ここでは、５個）ずつ設けられている。これら嵌入孔５１は、内径の異なる２段の円形孔が連続的に形成された横断面凸字状を成しており、係合孔５３は、嵌入孔５１の小径部分と同じか若干小さい内径に設定されている。
【００２６】
また、図２及び図３に示すように、ベース４３の係合孔５３の内側には密閉室５７がベース４３に一体的に形成され、この密閉室５７を形成する壁面は基板ケース４１の材質と同じであって透明であり、外部から密閉室５７の内部を視認することができるようになっている。更に、カバー４５の前面右端部には、係合体５５を途中で切断するための矩形の開口５９が複数個（ここでは、５個）形成されている。
【００２７】
ところで、図２及び図３に示すように、係合体５５は、嵌入部５５ａと、その先端の頭部５５ｂと、これらを繋ぐ軸状の接続部５５ｃとを備えており、嵌入部５５ａは嵌入孔５１と同じ形状に形成されて嵌入孔５１に嵌入する。そして、このように嵌入孔５３と嵌入部５５ａとが同一形状であることから、嵌入孔５３に嵌入した係合体５５の嵌入部５５ａの端面はカバー４５の右側壁の外側面とほぼ同一面を成し、基板ケース４１の筐体３内での狭い配置スペースとの関係もあって、嵌入部５５ａの端面を工具により細工して係合体５５を外部から引き抜くことができないようになっている。
【００２８】
また、軸状の接続部５５ｃの先端に、係合孔５３の内径と同径に頭部５５ｂが一体形成され、この頭部５５ｂの先端に係合孔５３の内径よりもやや大径に係止部５５ｄが一体形成されている。この係止部５５ｄは縦溝によって２分割されており、これにより頭部５５ｂの係合孔５３への嵌入時に、係合孔５３の内径よりも大径であっても係止部５５ｄは係合孔５３を通ってベース４３の右側壁内面に係止可能になっており、この係止部５５ｄの係止によって、係合体５５の引き抜きが阻止される。
【００２９】
更に、図２及び図３に示すように、カバー４５の右側壁にインサート成型により設けられた可撓性連結部材６１を介して、係合体５５の嵌入部５５ａがカバー４５に連結されており、係合体５５を嵌入孔５１、係合孔５３に嵌入した後、連結部材６１を嵌入部５５ａ付近で切断しておけば、係合体５５を外部から引き抜くことは不可能になる。
【００３０】
また、係合体５５の嵌入孔５１、係合孔５３への嵌入後、開口５９からニッパなどの切断用工具により係合体５５の接続部５５ｃが切断され、係合孔５３の内側に切断後の係合体５５の先端部分が押し込まれて密閉室５７内に収容される。
【００３１】
ところで、従来の場合と同様に、当初内蔵されている制御基板４７上の正規のＲＯＭを取り外して不正な変造ＲＯＭが取り付けられることを防止するために、まず１番目の係合体５５が嵌入孔５１、係合孔５３に挿入されて嵌入され、これによりケース４１が封印され、この封印状態のまま制御基板４７がケース４１ごとパチンコホールに搬送される。
【００３２】
更に、パチンコホールにおいて、図１〜３には示されていない固定手段により、基板ケース４１が筐体３の所定位置に固着されたホルダに固定され、封印状態の基板ケース４１がホルダを介して筐体３内部の所定位置に設置される。
【００３３】
そして、監督機関が変造ＲＯＭを取り締まるために、パチンコホールにおいてチェックする際には、カバー４５の開口５９から、封印されている１番目の係合体５５の接続部５５ｃがニッパにより切断されて封印解除され、カバー４５が開放可能な状態とされると共に、切断後の係合体５５の先端部分が密閉室５７内に押し込まれて収容される。更に、チェックが終了すると、２番目の係合体５５が嵌入孔５１、係合孔５３に挿入されて嵌入され、以後このような監督機関による変造ＲＯＭの取り締まりごとに３番目ないし５番目の係合体５５により基板ケース４１が順次封印される。
【００３４】
尚、制御基板を基板ケース４１ごと回収する際に、５番目の係合体５５により基板ケース４１を封印したまま、基板ケース４１が筐体３内部から取り外され、その封印状態のまま搬送されて制御基板が基板ケース４１ごと回収される。
【００３５】
従って、上記した実施形態によれば、係合体５５を水平方向から嵌入孔５１及び係合孔５３に挿入して嵌入することにより、従来のように、ねじを用いることなく基板ケース４１を簡単に封印することができる。
【００３６】
また、係合体５５の嵌入部５５ａの端面がカバー４５の右側壁の外側面と同一面を成すため、係合体５５の嵌入部５５ａの端面を工具により細工して係合体５５を外部から引き抜くことが困難であり、不正行為を確実に防止することができる。
【００３７】
しかも、筐体３の正面から基板ケース４１を見たときに、嵌入孔５１及び係合孔５３に挿入、嵌入している係合体５５をはっきりと視認することができるため、係合体５５が外部から切断された場合の痕跡を明確に把握することができ、不正行為を早期に発見することができる。
【００３８】
更に、係合体５５を途中で切断したときに、係合体５５の先端部分を透明な密閉室５７内に押し込んで収容することにより、係合体５５を切断した痕跡が明確になり、監督機関のチェックの回数よりも多く係合体５５が不正に切断された場合にはこれを容易に発見することができる。
【００３９】
なお、上記した実施形態では、係合体５５をカバー４５に連結した場合について説明しているが、係合体５５はベース４３に連結されていてもよいのは勿論である。
【００４０】
また、上記した実施形態では、カバー４５（またはベース４３）とは別部材の可撓性連結部材６１により係合体５５を連結する例を挙げたが、係合体５５を連結する連結部材６１はカバー４５（またはベース４３）に一体成型により形成されていても構わない。こうすれば、連結部材６１の複製が困難になって、不正をより確実に防止できる。更には、係合体５５は必ずしも連結部材６１により連結しておく必要はなく、係合体５５は、ベース４３やカバー４５とは別個の独立した部材であってもよい。また、開口５９は格子状または薄膜状としてもよい。
【００４１】
また、上記した実施形態では、嵌入孔５１、係合孔５３及び係合体５５をそれぞれ５個としているが、これらの個数は特に５個に限定されるものではない。
【００４２】
更に、上記した実施形態では、本発明をスロットマシンに適用した場合について説明したが、パチンコ機といった他の遊技機にも本発明を適用することができ、その場合にも上記した各実施形態と同等の効果を得ることができる。
【００４３】
また、本発明は上記した実施形態に限定されるものではなく、その趣旨を逸脱しない限りにおいて上述したもの以外に種々の変更を行うことが可能である。
【００４４】
【発明の効果】
以上のように、請求項１に記載の発明によれば、係合体が水平方向から嵌入孔及び係合孔に挿入、嵌入されることにより、係合体によってベースとカバーとが係合されるため、ねじを用いることなくケースを封印することができ、係合体の状態を目視できるようにケースを透明にしておくことで、不正があったときは不正の痕跡を外部から早期に発見することが可能である。
【００４５】
また、請求項２に記載の発明によれば、係合体を嵌入孔及び係合孔に挿入、嵌入したときに、係合体の端面がカバーの側壁の外側面とほぼ同一面を成すため、係合体の端面を工具により細工して係合体を外部から引き抜くことが困難になり、不正行為を確実に防止することが可能になる。
【００４６】
また、請求項３に記載の発明によれば、係合体が途中で切断されたときに、係合体の先端部分を密閉室内に押し込んで収容することにより、係合体を切断した痕跡が明確になり、不正に係合体を切断した場合にこれを容易に発見することが可能になる。
【００４７】
また、請求項４に記載の発明によれば、係合体が途中で切断されたときに、係合体の先端部分を密閉室内に押し込んで収容しておき、密閉室内を外部から監視して密閉室内に収容されている係合体の先端部分を見ることで、不正行為の有無を容易に判断することができ、係合体を切断した痕跡を明確に把握することができ、不正に係合体を切断した場合にこれを容易に発見することが可能になる。
【００４８】
また、請求項５に記載の発明によれば、係合体がベースまたはカバーに連結されているため、封印作業時に係合体を紛失するおそれがなく、封印作業を非常に効率よく行うことが可能になる。
【００４９】
また、請求項６に記載の発明によれば、係止部がベースの側壁内面に係止して引き抜きが阻止されるため、工具による不正行為をより確実に防止することが可能になる。
【００５０】
また、請求項７に記載の発明によれば、例えば制御基板のチェックのためにカバーを開放する必要が生じても、係合体を順次嵌入孔及び係合孔に挿入して嵌入すればよく、封印解除及び封印を簡単に繰り返すことが可能になる。
【図面の簡単な説明】
【図１】この発明の一実施形態におけるスロットマシンの正面図である。
【図２】この発明の一実施形態におけるケースの一部の分解斜視図である。
【図３】この発明の一実施形態におけるケースの組立状態の斜視図である。
【図４】従来例の斜視図である。
【符号の説明】
１　　スロットマシン（遊技機）
３　　筐体（遊技機筐体）
４１　基板ケース
４３　ベース
４５　カバー
５１　嵌入孔
５３　係合孔
５５　係合体
５５ａ　嵌入部
５５ｂ　頭部
５５ｃ　接続部
５５ｄ　係止部
５７　密閉室
５９　開口
６１　連結部材
【図１】
2004008580.tif 000003
【図２】
2004008580.tif 000004
【図３】
2004008580.tif 000005
【図４】
2004008580.tif 000006